(57)【要約】【課題】  本発明の反発電磁誘導の原理と既存の吸引電磁誘導の原理を組合せた二連界磁回転子による相殺効果により飛躍的な発電効率の向上を課題とする。【解決手段】  複合発電機を構成する反発電磁誘導と吸引電磁誘導の両界磁極と両電機子間の相反する最大反発力と最大吸引力の合成相殺効果を達成する複合電機子合成出力回路機構。【選択図】図７
2006050882.tif 000002
【特許請求の範囲】
【請求項１】
界磁極に反発する反発誘導電機子コイル（１）の両端子を出力トランス（６）一次側両端子にそれぞれ接続して閉回路を作り、二次側を出力端子とする反発誘導電機子交流出力回路（図１）。
【請求項２】
超電導界磁回転子（５Ａ）又は（電磁石界磁回転子５）の両側に反発誘導電機子（１）を配置して、この一対の両側反発誘導電機子コイル（１）の内側両端子巻終わり端子と巻始め端子を直列接続して、外側両端子巻始め端子と巻終わり端子を出力トランス（６）一次側両端子にそれぞれ接続して閉回路を作り、二次側を両出力端子とする反発誘導電機子交流出力回路機構（図４）。
【請求項３】
可変界磁回転子（５Ｂ）と相対する両側一対の吸引誘導電機子（図５）の両内側巻終わり端子と巻始め端子を反発誘導電機子交流出力回路機構（図４）の二次側両出力端子にそれぞれ接続して複合電機子を作り、両側吸引誘導電機子（図５）の巻始め端子と巻終わり端子を出力端子とする複合電機子合成出力回路機構（図６）。
【請求項４】
超電導界磁回転子（５Ａ）の界磁極と相対する両側に一対の反発誘導電機子（１）を配置して、可変界磁回転子（５Ｂ）の界磁極と相対する両側に一対の吸引誘導電機子（２）を配置して両方の磁気角を揃えた二連界磁回転子（５Ａ）を作り、上部の反発誘導電機子コイル（１）と吸引誘導電機子コイル（２）の外側巻始め両端子を並列接続すると共に、内側巻終わり両端子を並列接続して上部並列接続複合電機子を作り、下部の反発誘導電機子コイル（１）と吸引誘導電機子コイル（２）の内側巻始め両端子を並列接続すると共に外側巻終わり両端子を並列接続して下部並列接続複合電機子を作り、上下複合電機子の両内側巻終わり端子部と巻始め端子部を直列接続して、両外側巻始め端子部と巻終わり端子部を出力端子とする並列接続複合電機子合成出力回路機構（図７）。
【請求項５】
上記同様に配置した上部の反発誘導電機子コイル（１）と吸引誘導電機子コイル（１）と吸引誘導電機子コイル（２）両方の巻終わり端子部を内側にして、巻始め端子と巻終わり端子を直列接続する上部直列接続複合電機子を作り、下部の反発誘導電機子コイル（１）と吸引誘導電機子コイル（２）両方の巻始め端子部を内側にして、巻終わり端子と巻始め端子を直列接続する同機能の下部直列接続複合電機子を作り、上下複合電機子の両内側巻終わり端子部と巻始め端子部を直列接続して、両外側巻始め端子部と巻終わり端子部を出力端子とする直列接続複合電機子合成出力回路機構（図８と図９）。
【発明の詳細な説明】
【発明の詳細な説明】
【技術分野】
【０００１】  本発明は、単相交流複合発電機の複合電機子合成出力回路に関するものである。
【背景技術】
【０００２】  既存の吸引電磁誘導の吸引誘導（鉄心）電機子と新たに反発電磁誘導の反発誘導（空心又はプラスチック心）電機子を組合せて相反する力を合成相殺する複合発電原理である。
【発明が解決しようとする課題】
【０００３】  本発明は、閉回路に限定するファラディーの電磁誘導の法則と反発電磁誘導の因果関係を解き明かす場の変化過程の違いに起因する電磁誘導の法則の全容解明開示に基づき、複合発電動力機構の複合発電機を目的に、複合発電機の最大磁気角を揃えた二連の超電導界磁回転子（５Ａ）又は（電磁石界磁回転子５）と反発誘導電機子（１）間の、回転に比例して出力電力と共に増大する反発電磁力と、二連の可変界磁回転子（５Ｂ）と吸引誘導電機子（２）間の、回転と界磁電力に比例して出力電力と共に増大する吸引磁気力を同等の相反する力に誘導する可変界磁回転子（５Ｂ）の電力を回転連動電圧制御調整して、反発電磁エネルギーと吸引磁気エネルギーの大半を合成相殺する相殺効果により、最大電力出力時の最大相殺効果と最大発電効率を達成するための単相交流複合発電機の直列接続及び並列接続複合電機子合成出力回路機構を課題とし、一連の三相交流複合発電機を別出願とする
【課題を解決するための手段】
【０００４】  始めに本発明の複合発電機を構成する複合電機子の要となる反発電磁誘導と電磁誘導中途過程での定常磁束（静磁束）発生（誘導起動力が零）の有無に起因する閉路電磁誘導現象の違いについて、場の変化過程の違いによる成り立ちと因果関係を実験図１と図２、図３を基に電磁誘導の法則の全容を明示する。
【０００５】  図１の反発誘導電機子コイル（１）の両端子を出力トランス（６）一次側両端子にそれぞれ接続して閉回路を作り、出力トランス（６）二次側を出力端子とする反発誘導電機子（空心又は同機能の固体心）交流出力回路（図１）を構成する固定反発誘導電機子コイル（１）のＡ点、Ｂ点、Ｃ点上の空間を界磁回転子（５）が連続回転を繰返す場の変化過程で、界磁極中心部がＡ点接近により電機子コイル（１）を貫き時間変化する変動磁束（１Ｂ）と誘導電界増加中Ａ点を通過するとき、磁束に反発する方向の界磁極と同極を形成する反発誘導電流（１Ａ）と反発力が共に増加し、連続回転中Ｂ点（中心部）では、電機子コイル（１）を貫く変動磁束（１Ｂ）と誘導電界が共に最大となるため、反発誘導電流（１Ａ）と反発力が共に最大となり、連続回転によりＢ点を通過して電機子コイル（１）を貫く変動磁束（１Ｂ）と誘導電界減少中Ｃ点に近づき通過するとき、時間的に減少する変動磁束（１Ｂ）と誘導電界の継続により、磁束に反発する方向の界磁極と同極を形成する同方向の反発誘導電流（１Ａ）と反発力が減少するため、電機子コイル（１）を貫き時間変化する連続変動磁束（１Ｂ）が増加するＡ点の始めから最大となるＢ点（中心部）を通過して減少するＣ点の終わる全過程で継続する同一同極の時間変化する反発誘導電流（１Ａ）と誘導電界が始終維持され、継続する同方向の磁束に始終反発する反発誘導電流（１Ａ）と反発力が遠ざかるにつれて共に減少する連続誘導原理の反発電磁誘導となる。
【０００６】  この反発電磁誘導現象に対して、上記の界磁回転子（５）がＢ点で毎回停止して継続回転を繰返す場の変化過程で、Ａ点を通過してＢ点（中心部）で瞬間停止してからＣ点を通過するとき、電磁誘導中途過程Ｂ点（中心部）で、時間変化しない瞬間定常磁束又は静磁束（２Ｂ）発生により誘導電界から静電界に変わるとき、同様の類推現象として定常磁束発生による起動力零の類似現象がファラディー、レンツの法則で明示されているように、上記の界磁回転子（５）界磁極の中心部がＡ点接近により電機子コイル（１）を貫く変動磁束（１Ｂ）増加中Ａ点を通過するとき、磁束の変化（増加）を妨げる方向に界磁極と同極を形成する反発誘導電流（１Ａ）と反発力が共に増加し、Ａ点付近で反発誘導電流（１Ａ）と反発力が共に最大となり、Ｂ点（中心部）では、界磁回転子（５）の瞬間停止による定常磁束（２Ｂ）発生により電機子コイル（１）を貫き時間変化しない定常磁束（２Ｂ）が、最大の状態で誘導電流と反発力が共に零となり、界磁回転子（５）の回転始動時定常磁束（２Ｂ）から変動磁束（１Ｂ）に変わる時、誘導電界（誘導電流）が零から逆方向へ誘起され、Ｂ点を通過して電機子コイル（１）を貫く変動磁束（１Ｂ）と誘導電界が減少中Ｃ点に近づき通過するとき、磁束の変化（減少）を妨げる方向に零から逆方向の吸引誘導電流（２Ａ）に変わり界磁極と異極を形成する吸引誘導電流（２Ａ）と吸引力が最大となり、遠ざかるにつれて吸引誘導電流（２Ａ）と吸引力が減少する断続誘導原理のファラディーの電磁誘導の法則となる。
【０００７】  上記の事象からファラディー、レンツ、レイマンの法則は、自然の連続変化を取り扱う正弦波などの事象に適合できない不自然な中途で中断し反転する断続誘導原理の欠陥があり、ファラディー、レンツの法則の成立要因となる電磁誘導中途過程で中断反転する断続誘導原理は、変動磁束が電磁誘導中途過程で定常磁束を介在して断続変化する人工的制動による制約状態かまたは、直流定常磁束始終の増減瞬間変化時の定常磁束を介在する変動磁束の磁束増加時半過程の反発誘導電流（１Ａ）と磁束減少時半過程の吸引誘導電流（２Ａ）が混在し反転する一対の特殊な法則であるため、断続誘導原理の磁束の減少過程部分を表示するノイマンの半過程電磁誘導式の磁束の変化を妨げる方向の負号を反発電磁誘導の全過程（変動磁束の始から終りまで）電磁誘導式の磁束に始終反発する方向の負号へと式の成り立ちと負号の意味を入れ換えて半過程電磁誘導から全過程電磁誘導へ変更すれば、既存の成り立ちの原理が不明暸な電磁方程式の成因が補成され、連続誘導原理を表示する連続変動磁束（変動磁束始終の全過程）の反発電磁誘導の事象に帰結する。
【０００８】  双方の電磁誘導現象の違いについて、電磁誘導中途過程での定常磁束発生の有無に起因する双方の電磁誘導現象の違いが解明されなかった事や、場の変化過程が明確に区分されなかった事で前半磁束増加時の半過程反発誘導電流（１Ａ）と後半磁束減少時の半過程吸引誘導電流（２Ａ）が混同表式になり反発電磁誘導の磁束の増加過程から減少過程までの全過程反発誘導電流（１Ａ）との因果関係が長い間推知できなかった事など、ファラディー、レンツの法則の演繹的思考では説明できないために、数学による解明方法など混同誤解されている誘導磁気浮上車両の事象原因や単相、三相トランスの原理が反発電磁誘導の原理で矛盾なく説明できることを示し、先願の複合発電機で概略的に作用だけ説明した反発電磁誘導について、省略した部分の詳細な原理の全容説明を改めて図１及び図２と図３について付記する。
【０００９】  図２と図３で示す電磁誘導中途過程での定常磁束発生の有無に起因する場の変化過程の違いと誘導電流の因果関係を示すグラフ説明図でも解るように、変動磁束が中途で中断して断続変化するファラディー、レンツ、ノイマンの法則には、この大事な事象について、電磁誘導の根幹にかかわる欠落部分と法則が未完成のため方程式の成り立ちと思考過程に矛盾があり、上記の実験結果から電磁誘導の法則が、場の変化過程の違いに起因する定常磁束（静磁束）発生の有無を分岐点にして、断続誘導原理の磁束の変化を妨げる方向の誘導電流を示すファラディー、レンツの法則（図３）と連続誘導原理の磁束に始終反発する方向の誘導電流を示す積分表示の反発電磁誘導の法則（図２）に二分されるため、ファラディー、レンツの法則を一括して電磁誘導第２法則、反発電磁誘導を第３法則とし、磁束が直導線を横切る連続誘導原理微分表示のファラディーの電磁誘導を第一法則とするならば、基本的な誘導原理を網羅する電磁誘導の法則の全容が完成する。
【発明を実施するための最良の形態】
【００１０】  発明の実施形態を実施例に基づき図面を参照に、単相交流複合発電機の直列接続及び並列接続複合電機子合成出力回路機構を、二種類の単相交流発電機図４と図５を基に残り全図を説明する。
図４は、空心の反発誘導電機子（１）と同機能のコイル固定用プラスチック心（３）の反発誘導電機子（１）を超電導界磁回転子（５Ａ）又は（電磁石界磁回転子５）の磁極と相対する両側に巻始め端子と巻終わり端子を内側にして配置すると共に、両方の反発誘導電流（１Ａ）が同方向へ流れるように、この一対の両側反発誘導電機子コイル（１）の内側両端子巻終わり端子と巻始め端子を直列接続して、外側両端子巻始め端子と巻終わり端子を出力トランス（６）一次側両端子にそれぞれ接続して閉回路を作り、出力トランス（６）二次側を出力端子とする反発電磁誘導の超電導界磁回転子（５Ａ）の界磁極と反発誘導電機子（１）反発誘導電流（１Ａ）の間に回転に比例して増大する反発誘導電流（１Ａ）と共に反発電磁力が増大する単相交流発電機の反発誘導電機子交流出力回路機構（図４）を構成する。【００１１】  図５は、可変界磁回転子（５Ｂ）の磁極に相対する両側に吸引誘導（鉄心３）電機子（２）を設置して、界磁電力を予め任意に設定する回転連動電圧制御器により界磁電力調整による吸引磁気力調整機能を設け、可変界磁回転子（５Ｂ）の界磁極と吸引誘導電機子（２）の鉄心磁極の間に界磁電力と回転に比例して増大する吸引誘導電流（２Ａ）と共に吸引磁気力が増大する既存の単相交流発電機の吸引誘導電機子交流出力回路（図５）を示す。【００１２】  図４の単相交流発電機の反発誘導電機子交流出力回路機構と図５の単相交流発電機の吸引誘導電機子交流出力回路を組合せて、超電導界磁回転子（５Ａ）磁極の位置が、最大反発誘導電流（１Ａ）の時に最大反発電磁力となる磁気角（回転角）の位置と、可変界磁回転子（５Ｂ）磁極の位置が、吸引誘導電流（２Ａ）の零の時に最大吸引磁気力となる磁気角（回転角）の位置を揃えた連結同軸（二連）で反発電磁力と吸引磁気力を合成相殺する二連界磁回転子（５Ａと５Ｂ）の複合電磁誘導による単相交流複合発電機（図４と図５）を構成すると、二次側出力端子の反発誘導電流（１Ａ）の位相と吸引誘導電流（２Ａ）の位相が同じ同相となるため、双方の誘導電流（１Ａと２Ａ）が同方向へ流れるように合成する機能を組合せる事により、図４の反発誘導電機子コイル（１）と図５の吸引誘導電機子コイル（２）を組合せた複数の複合電機子合成出力回路（図６，７，８，９）を構成する。【００１３】  図６は、上記単相交流発電機の反発誘導電機子交流出力回路機構（図４）の二次側出力両端子と、可変界磁回転子（５Ｂ）の界磁極に相対する両側の巻終わり端子と巻始め端子が向き合うように配置した一対の両吸引誘導電機子（４）の内側巻終わり端子及び巻始め端子の合成誘導電流（１Ａと２Ａ）が同方向へ流れるように、上記出力両端子に接続して複合電機子を作り、両側吸引誘導電機子（４）の両外側巻始め端子と巻終わり端子を出力端子とする単相交流複合発電機の複合電機子合成出力回路機構（図６）を構成する。【００１４】  図７は超電導界磁回転子（５Ａ）の界磁極と相対する両側に一対の反発誘導電機子（１）を配置して、可変界磁回転子（５Ｂ）の界磁極と相対する両側に一対の吸引誘導電機子（２）を配置して両方の磁気角を揃えた二連界磁回転子（５Ａと５Ｂ）複合発電機の機構を作り、図上部の反発誘導電機子���イル（１）と吸引誘導電機子コイル（２）の巻終わり両端子を内側にして、外側両端子を並列（巻始め相当の端子と巻始め端子）接続すると共に、内側両端子を並列（巻終わり相当の端子と巻終わり端子）接続して上部並列接続複合電機子を作り、図下部の反発誘導電機子コイル（１）と吸引誘導電機子コイル（２）の巻始め両端子を内側にして、内側両端子を並列（巻始め相当の端子と巻始め端子）接続すると共に、外側両端子を並列（巻終わり相当の端子と巻終わり端子）接続して下部並列接続複合電機子を作り、上下一対の並列接続複合電機子の両内側巻終わり端子部と巻始め端子部を直列接続して、両外側巻始め端子部と巻終わり端子部を出力端子とする単相交流複合発電機の並列接続複合電機子合成出力回路機構（図７）を構成する。【００１５】  図８と図９は、上記同様に配置した図上部の反発誘導電機子コイル（１）と吸引誘導電機子コイル（２）両方の巻終わり端子部を内側にして、巻終わり端子と巻始め端子を直列接続する上部直列接続複合電機子を作り、図下部の反発誘導電機子コイル（１）と吸引誘導電機子コイル（２）両方の巻始め端子部を内側にして、巻始め端子と巻終わり端子を直列接続する同じ下部直列接続複合電機子を作り、上下一対の直列接続複合電機子の両内側巻終わり端子部と巻始め端子部を直列接続して、両外側巻始め端子部と巻終わり端子部を出力端子とする単相交流複合発電機の直列接続複合電機子合成出力回路機構（図８と図９）を構成する。
【発明の効果】
【００１６】  本発明の単相交流複合発電機の複合電機子合成出力回路機構は、回転上昇に比例して反発誘導電流（１Ａ）と共に増大する超電導（又は電磁石）界磁回転子（５Ａ）及び反発誘導電機子（１）間の反発電磁力（界磁極５Ａと反発誘導電流１Ａ間の反発電磁エネルギー）と、回転上昇と界磁電力に比例して吸引誘導電流（２Ａ）と共に増大する可変界磁回転子（５Ｂ）及び吸引誘導電機子（２）間の吸引磁気力（界磁極５Ｂと鉄心磁極間の吸引磁気エネルギー）を最大電力出力時に適合させて相対する（逆向の力）反発電磁力と吸引磁気力を同等の力に誘導する回転連動電圧制御（７）による可変界磁回転子（５Ｂ）界磁電力調整により最大電力出力時の相反する同等の力（最大反発電磁力と最大吸引磁気力）を合成する相殺効果によって、合成回転抵抗エネルギーの大半が誘導保存エネルギーへ変換され、誘導保存エネルギー相当分の合成回転抵抗減少を誘発する電磁気エネルギーの反発電磁エネルギーと吸引磁気エネルギーの相殺効果により、冷却負荷が小さい超電導界磁回転子（５Ａ）の使用で効率良く複合発電機の入力回転エネルギーに比べて出力電気エネルギーが増大する電磁気特有の電磁気エネルギー保存側が成り立つ飛躍的な発電効率を達成する効果がある。
【図面の簡単な説明】
【図１】  反発電磁誘導の反発誘導電機子交流出力回路機構の概略（片側省略）説明図。
【図２】  連続誘導原理の反発電磁誘導と反発誘導電流（１Ａ）のグラフ説明図。
【図３】  断続誘導原理のファラディー、レンツの法則のグラフ説明図。
【図４】  反発電磁誘導の反発誘導電機子単相交流出力回路機構の概略説明図。
【図５】  吸引電磁誘導の吸引誘導電機子単相交流出力回路の概略説明図  ［図４と図５］  最大反発力時の磁気角と最大吸引力時の磁気角を揃えた二連界磁回転子（５Ａと５Ｂ）の概略説明図。
【図６】  単相交流複合発電機の複合電機子合成出力機構。
【図７】  単相交流複合発電機の並列接続複合電機子合成出力回路機構。
【図８】  単相交流複合発電機の直列接続複合電機子合成出力回路機構。
【図９】  単相交流複合発電機の直列接続複合電機子合成出力回路機構。
【符号の説明】
１：  反発誘導電機子コイル（反発誘導電機子）
２：  吸引誘導電機子コイル（吸引誘導電機子）
３：  空心と同機能のコイル固定用プラスチック心又はセラミック心
４：  鉄心
５：  電磁石界磁回転子（又永久磁石）
５Ａ：超電導界磁回転子（二連界磁回転子５Ａ）
５Ｂ：可変界磁回転子  （二連界磁回転子５Ｂ）
６：  出力トランス
７：  回転連動（界磁電力）電圧制御装置
Ａ：  コイルの右側端
Ｂ：  コイルの中心部
Ｃ：  コイルの左側端
ｔ：時間  Ａ：誘導電流  Ｂ：磁束密度
１Ａ：反発誘導電流
２Ａ：吸引誘導電流
１Ｂ：変動磁束（回転磁束の時間変化）
２Ｂ：定常磁束（静磁束）
【図１】
2006050882.tif 000003
【図２】
2006050882.tif 000004
【図３】
2006050882.tif 000005
【図４】
2006050882.tif 000006
【図５】
2006050882.tif 000007
【図６】
2006050882.tif 000008
【図７】
2006050882.tif 000009
【図８】
2006050882.tif 000010
【図９】
2006050882.tif 000011
【手続補正書】
【提出日】平成17年10月31日(2005.10.31)
【手続補正１】
【補正対象書類名】明細書
【補正対象項目名】０００４
【補正方法】変更
【補正の内容】
【０００４】  始めに本発明の複合発電機を構成する複合電機子の要となる反発電磁誘導と電磁誘導中途過程での定常磁束（静磁束）発生（誘導起電力が零）の有無に起因する閉路電磁誘導現象の違いについて、場の変化過程の違いによる成り立ちと因果関係を実験図１と図２、図３を基に電磁誘導の法則の全容を明示する。
【手続補正２】
【補正対象書類名】明細書
【補正対象項目名】０００６
【補正方法】変更
【補正の内容】
【０００６】  この反発電磁誘導現象に対して、上記の界磁回転子（５）がＢ点で毎回停止して断続回転を繰返す場の変化過程で、Ａ点を通過してＢ点（中心部）で瞬間停止してからＣ点を通過するとき、電磁誘導中途過程Ｂ点（中心部）で、時間変化しない瞬間定常磁束又は静磁束（２Ｂ）発生により誘導電界から静電界に変わるとき、同様の類推現象として定常磁束発生による起電力零の類似現象がファラディー、レンツの法則で明示されているように、上記の界磁回転子（５）界磁極の中心部がＡ点接近により電機子コイル（１）を貫く変動磁束（１Ｂ）増加中Ａ点を通過するとき、磁束の変化（増加）を妨げる方向に界磁極と同極を形成する反発誘導電流（１Ａ）と反発力が共に増加し、Ａ点付近で反発誘導電流（１Ａ）と反発力が共に最大となり、Ｂ点（中心部）では、界磁回転子（５）の瞬間停止による定常磁束（２Ｂ）発生により電機子コイル（１）を貫き時間変化しない定常磁束（２Ｂ）が、最大の状態で誘導電流と反発力が共に零となり、界磁回転子（５）の回転始動時定常磁束（２Ｂ）から変動磁束（１Ｂ）に変わる時、誘導電界（誘導電流）が零から逆方向へ誘起され、Ｂ点を通過して電機子コイル（１）を貫く変動磁束（１Ｂ）と誘導電界が減少中Ｃ点に近づき通過するとき、磁束の変化（減少）を妨げる方向に零から逆方向の吸引誘導電流（２Ａ）に変わり界磁極と異極を形成する吸引誘導電流（２Ａ）と吸引力が最大となり、遠ざかるにつれて吸引誘導電流（２Ａ）と吸引力が減少する断続誘導原理のファラディーの電磁誘導の法則となる。
【手続補正３】
【補正対象書類名】明細書
【補正対象項目名】０００７
【補正方法】変更
【補正の内容】
【０００７】  上記の事象からファラディー、レンツ、ノイマンの法則は、自然の連続変化を取り扱う正弦波などの事象に適合できない不自然な中途で中断し反転する断続誘導原理の欠陥があり、ファラディー、レンツの法則の成立要因となる電磁誘導中途過程で中断反転する断続誘導原理は、変動磁束が電磁誘導中途過程で定常磁束を介在して断続変化する人工的制動による制約状態かまたは、直流定常磁束始終の増減瞬間変化時の定常磁束を介在する変動磁束の磁束増加時半過程の反発誘導電流（１Ａ）と磁束減少時半過程の吸引誘導電流（２Ａ）が混在し反転する一対の特殊な法則であるため、断続誘導原理の磁束の減少過程部分を表示するノイマンの半過程電磁誘導式の磁束の変化を妨げる方向の負号を反発電磁誘導の全過程（変動磁束の始から終りまで）電磁誘導式の磁束に始終反発する方向の負号へと式の成り立ちと負号の意味を入れ換えて半過程電磁誘導から全過程電磁誘導へ変更すれば、既存の成り立ちの原理が不明瞭な電磁方程式の成因が補成され、連続誘導原理を表示する連続変動磁束（変動磁束始終の全過程）の反発電磁誘導の事象に帰結する。
【手続補正４】
【補正対象書類名】明細書
【補正対象項目名】０００９
【補正方法】変更
【補正の内容】
【０００９】  図２と図３で示す電磁誘導中途過程での定常磁束発生の有無に起因する場の変化過程の違いと誘導電流の因果関係を示すグラフ説明図でも解るように、変動磁束が中途で中断して断続変化するファラディー、レンツ、ノイマンの法則には、この大事な事象について、電磁誘導の根幹にかかわる欠落部分と法則が未完成のため方程式の成り立ちと思考過程に矛盾があり、上記の実験結果から電磁誘導の法則が、場の変化過程の違いに起因する定常磁束（静磁束）発生の有無を分岐点にして、断続誘導原理の磁束の変化を妨げる方向の誘導電流を示すファラディー、レンツの法則（図３）と連続誘導原理の磁束に始終反発する方向の誘導電流を示す積分表示の反発電磁誘導の法則（図２）に二分されるため、ファラディー、レンツの法則を一括して電磁誘導第２法則、反発電磁誘導を第３法則とし、磁束が直導線を横切る連続誘導原理微分表示のファラディーの電磁誘導を第１法則とするならば、基本的な誘導原理を網羅する電磁誘導の法則の全容が完成する。
【手続補正６】
【補正対象書類名】図面
【補正対象項目名】全図
【補正方法】変更
【補正の内容】
【図１】
2006050882.tif 000012
【図２】
2006050882.tif 000013
【図３】
2006050882.tif 000014
【図４】
2006050882.tif 000015
【図５】
2006050882.tif 000016
【図６】
2006050882.tif 000017
【図７】
2006050882.tif 000018
【図８】
2006050882.tif 000019
【図９】
2006050882.tif 000020